(57)【要約】【課題】マイクロコンピュータのポートレベルの切り替えを工具等によって行う場合において、予期せぬポートレベルの切り替えを防止して安定的にポートレベルの切り替えを実現することでき、かつ、切り替え作業も容易なマイクロコンピュータのポートレベルの切り替え方法、プリント配線基板、及び制御装置を提供すること。【解決手段】プリント配線基板上に電源６側のパッド８とＧＮＤ側のパッド９を形成し、マイクロコンピュータ１の入力ポートＰ１をパッド８に接続する。入力ポートＰ１のポートレベルはパッド８，９間を短絡するか否かで異なるレベルに設定される。マイクロコンピュータ１は、リモコン４からの要求によるメンテナンスモード時のみに入力ポートＰ１のポートレベルを読み込むように設定される。【選択図】図１
2014149616.tif 000002
【特許請求の範囲】
【請求項１】
プリント配線基板上に形成され、電源に抵抗を介して接続された第１のパッドと、
前記プリント配線基板上に形成され、前記第１のパッドと対を成し所定の間隔で配置され接地された第２のパッドと、
前記プリント配線基板上に搭載され、入力ポートが前記抵抗と前記第１のパッドとの間に接続され、前記第１及び第２のパッド間が短絡部材で短絡されているか否かに応じて前記入力ポートの電位を二つの異なるポートレベルとして読み込むことが可能であり、前記ポートレベルを読み込んだときは読み込んだポートレベルに応じた機能設定を行うマイクロコンピュータと、
前記マイクロコンピュータに接続され、前記マイクロコンピュータをメンテナンスモードに移行させるためのメンテナンスモード移行要求信号をリモコンから受信することが可能な受光部と、
前記マイクロコンピュータに接続され、前記マイクロコンピュータが読み込んだポートレベルに応じた報知をする報知部と、
を備え、
前記マイクロコンピュータは、前記受光部を介して前記リモコンからの前記メンテナンスモード移行要求信号を受信しメンテナンスモードに移行した場合にのみ、前記入力ポートのポートレベルを読み込むものであることを特徴とする制御装置。
【請求項２】
前記入力ポートは複数個設けられ、
前記第１及び第２のパッドは前記入力ポートの個数と同数対設けられ、
前記複数個の入力ポートはそれぞれ異なる前記第１のパッドに接続されていることを特徴とする請求項１に記載の制御装置。
【請求項３】
前記入力ポートは複数個設けられ、
前記第１及び第２のパッドは一対設けられ、
前記入力ポートのすべてが前記第１のパッドに接続されており、
前記受光部は、前記複数個の入力ポートのうちのいずれかを選択するためのポート選択信号を前記リモコンから受信し当該ポート選択信号を前記マイクロコンピュータに送信することが可能であり、
前記マイクロコンピュータは、前記メンテナンスモードにおいて、前記受光部を介して前記リモコンからの前記ポート選択信号を受信し、当該ポート選択信号で指定された入力ポートのみを読み込むものであることを特徴とする請求項１に記載の制御装置。
【請求項４】
前記第１のパッドは、所定の間隔で配置され前記抵抗に並列に接続された二つのパッドから成り、
前記第２のパッドは、所定の間隔で配置され並列に接地された二つのパッドから成り、
前記第１及び第２のパッドは、前記第１のパッドを構成するいずれか一方のパッドと前記第２のパッドを構成するいずれか一方のパッドに前記短絡部材を当てることにより短絡され得るものであることを特徴とする請求項１〜３のいずれか１項に記載の制御装置。
【請求項５】
前記第１及び第２のパッド上にはそれぞれはんだが実装されていることを特徴とする請求項１〜４のいずれか１項に記載の制御装置。
【請求項６】
前記報知部は、前記マイクロコンピュータが読み込んだポートレベルに応じた表示をする表示装置と前記マイクロコンピュータが読み込んだポートレベルに応じた鳴動をするブザーとから成ることを特徴とする請求項１〜５のいずれか１項に記載の制御装置。
【請求項７】
電源に抵抗を介して接続された第１のパッドと、
前記第１のパッドと対を成し所定の間隔で配置され接地された第２のパッドと、
入力ポートが前記抵抗と前記第１のパッドとの間に接続され、前記第１及び第２のパッド間が短絡部材で短絡されているか否かに応じて前記入力ポートの電位を二つの異なるポートレベルとして読み込むことが可能であり、前記ポートレベルを読み込んだときは読み込んだポートレベルに応じた機能設定を行うマイクロコンピュータと、
を備え、
前記マイクロコンピュータは、当該マイクロコンピュータをメンテナンスモードに移行させるためのメンテナンスモード移行要求信号を受信することが可能な受光部と当該マイクロコンピュータが読み込んだポートレベルに応じた報知をする報知部とにそれぞれ接続され、前記受光部を介して前記リモコンからの前記メンテナンスモード移行要求信号を受信しメンテナンスモードに移行した場合にのみ、前記入力ポートのポートレベルを読み込むものであることを特徴とするプリント配線基板。
【請求項８】
プリント配線基板上に形成され、電源に抵抗を介して接続された第１のパッドと、前記プリント配線基板上に形成され、前記第１のパッドと対を成し所定の間隔で配置され接地された第２のパッドと、前記プリント配線基板上に搭載され、入力ポートが前記抵抗と前記第１のパッドとの間に接続され、前記第１及び第２のパッド間が短絡部材で短絡されているか否かに応じて前記入力ポートの電位を二つの異なるポートレベルとして読み込むことが可能であり、前記ポートレベルを読み込んだときは読み込んだポートレベルに応じた機能設定を行うマイクロコンピュータと、前記マイクロコンピュータに接続され、前記マイクロコンピュータをメンテナンスモードに移行させるためのメンテナンスモード移行要求信号をリモコンから受信することが可能な受光部と、前記マイクロコンピュータに接続され、前記マイクロコンピュータが読み込んだポートレベルに応じた報知をする報知部とを備えた制御装置における前記マイクロコンピュータのポートレベルの切り替え方法であって、
前記リモコンが前記メンテナンスモード移行要求信号を前記受光部に送信し、前記受光部が前記メンテナンスモード移行要求信号を前記マイクロコンピュータに送信するステップと、
前記マイクロコンピュータが、前記受光部から前記メンテナンスモード移行要求信号を受信しメンテナンスモードに移行した場合にのみ、前記入力ポートのポートレベルを読み込むステップと、
前記マイクロコンピュータが、読み込んだ前記ポートレベルを判定するステップと、
前記報知部が、前記ポートレベルの判定内容に応じた報知をするステップと、
を含むことを特徴とするマイクロコンピュータのポートレベルの切り替え方法。
【発明の詳細な説明】
【技術分野】
【０００１】
本発明は、プリント配線基板に搭載されたマイクロコンピュータのポートレベルの切り替え方法、そのプリント配線基板、及びそのプリント配線基板を有する制御装置に関する。
【背景技術】
【０００２】
従来、プリント配線基板上に搭載されたマイクロコンピュータの機能設定又は機能切り替え用の入力ポートは、ポートレベルをＨ（ハイレベル）又はＬ（ローレベル）に固定するため、抵抗によるプルアップ又はプルダウンが行われている。また、ポートレベルを必要に応じて切り替えられるようにするため、ＤＩＰ（Dual In-line Package）スイッチが使用されている。
【０００３】
特許文献１には、プリント配線基板上に搭載されたマイクロコンピュータのポートレベルの切り替え方法が開示されている。特許文献１では、プリント配線基板上に所定の間隔で二つのパターンを形成すると共に、発光ダイオードを搭載し、これら二つのパターン間を短絡することで、マイクロコンピュータの入力ポートを短絡し、この短絡によりマイクロコンピュータをイニシャライズし、かつこのイニシャライズのときに発光ダイオードを発光するように構成している。ここで、二つのパターンは、ドライバ等の工具を用いて短絡される。すなわち、通常時は、プルアップ抵抗により、ポートレベルはＨとなっているが、マイクロコンピュータのイニシャライズ時は、ポートレベルをＬにする必要があるため、ポートレベルをＬにする方法として、プリント配線基板上に二つのパターンを形成し、これらのパターンを別途ドライバ等の工具により短絡する方法が提案されている。
【先行技術文献】
【特許文献】
【０００４】
【特許文献１】特開２００１−２７４５２２号公報
【発明の概要】
【発明が解決しようとする課題】
【０００５】
しかしながら、特許文献１に記載のポートレベルの切り替え方法では、二つのパターンに誤って工具が当たった場合にもポートレベルの切り替えが行われてしまうという問題がある。また、プリント配線基板上のパターンは工具を当て難いという問題もある。
【０００６】
この発明は、上記に鑑みてなされたもので、マイクロコンピュータのポートレベルの切り替えを工具等によって行う場合において、予期せぬポートレベルの切り替えを防止して安定的にポートレベルの切り替えを実現することでき、かつ、切り替え作業も容易なマイクロコンピュータのポートレベルの切り替え方法、プリント配線基板、及び制御装置を提供することを目的とする。
【課題を解決するための手段】
【０００７】
上述した課題を解決し、目的を達成するために、本発明に係る制御装置は、プリント配線基板上に形成され、電源に抵抗を介して接続された第１のパッドと、前記プリント配線基板上に形成され、前記第１のパッドと対を成し所定の間隔で配置され接地された第２のパッドと、前記プリント配線基板上に搭載され、入力ポートが前記抵抗と前記第１のパッドとの間に接続され、前記第１及び第２のパッド間が短絡部材で短絡されているか否かに応じて前記入力ポートの電位を二つの異なるポートレベルとして読み込むことが可能であり、前記ポートレベルを読み込んだときは読み込んだポートレベルに応じた機能設定を行うマイクロコンピュータと、前記マイクロコンピュータに接続され、前記マイクロコンピュータをメンテナンスモードに移行させるためのメンテナンスモード移行要求信号をリモコンから受信することが可能な受光部と、前記マイクロコンピュータに接続され、前記マイクロコンピュータが読み込んだポートレベルに応じた報知をする報知部と、を備え、前記マイクロコンピュータは、前記受光部を介して前記リモコンからの前記メンテナンスモード移行要求信号を受信しメンテナンスモードに移行した場合にのみ、前記入力ポートのポートレベルを読み込むものであることを特徴とする。
【発明の効果】
【０００８】
本発明によれば、予期せぬポートレベルの切り替えを防止して安定的にポートレベルの切り替えを実現することでき、かつ、切り替え作業も容易になる、という効果を奏する。
【図面の簡単な説明】
【０００９】
【図１】図１は、実施の形態１に係る制御装置の概略構成を示すブロック図である。
【図２】図２は、特許文献１に記載のマイクロコンピュータのポートレベルの切り替え方法を説明するための図である。
【図３】図３は、実施の形態２に係る制御装置の概略構成を示すブロック図である。
【図４】図４は、実施の形態３に係る制御装置の概略構成を示すブロック図である。
【図５】図５は、実施の形態３の動作を示すフローチャートである。
【図６】図６は、実施の形態１における短絡方法及びパッド形状について示した図である。
【図７】図７は、実施の形態４における短絡方法及びパッド形状について示した図である。
【発明を実施するための形態】
【００１０】
以下に、本発明に係るマイクロコンピュータのポートレベルの切り替え方法、プリント配線基板、及び制御装置の実施の形態を図面に基づいて詳細に説明する。なお、この実施の形態によりこの発明が限定されるものではない。
【００１１】
実施の形態１．
図１は、本実施の形態に係る制御装置の概略構成を示すブロック図である。この制御装置は、マイクロコンピュータ（マイコン）１、表示装置２、受光器３、ブザー５、直流電源６、抵抗７、及びパッド８，９を備えている。この制御装置は、例えば空気調和機の室内機等の電気機器の制御装置であり、電気機器内に配置されて当該電気機器を制御するものである。
【００１２】
マイクロコンピュータ１は、プリント配線基板（図示ぜず）上に搭載されている。マイクロコンピュータ１は、入力ポートＰ１を有している。
【００１３】
抵抗７は、プリント配線基板（図示ぜず）上に搭載され、直流電源６に接続されている。パッド８，９は、プリント配線基板（図示ぜず）上に対を成して対向して形成されており、所定の間隔で近接して並べて配置されている。パッド８，９は、例えば矩形である。パッド８は、抵抗７を介して直流電源６に接続されている。パッド９は、ＧＮＤに接続されて接地されている。
【００１４】
入力ポートＰ１は、抵抗７とパッド８との間に接続されている。すなわち、図１では、入力ポートＰ１は、直流電源６及び抵抗７によりプルアップされ、ポートレベルとしてハイレベル（Ｈ）の電位が入力されている。入力ポートＰ１のポートレベルをローレベル（Ｌ）にする場合、ドライバ１０等の工具（より一般には短絡部材）によりパッド８，９間を短絡する。これにより入力ポートＰ１がＧＮＤと短絡することになるので、入力ポートＰ１のポートレベルをローレベル（Ｌ）にすることができる。
【００１５】
マイクロコンピュータ１は、入力ポートＰ１のポートレベルを読み込み、読み込んだポートレベルに応じた機能設定を行う機能を有する。例えば、入力ポートＰ１のポートレベルがハイレベル（Ｈ）からローレベル（Ｌ）に切り替えられたときに、マイクロコンピュータ１はイニシャライズを行う。後述するように、マイクロコンピュータ１は、メンテナンスモード時のみに、入力ポートＰ１のポートレベルを読み込み、読み込んだポートレベルに応じた機能設定を行う。このように、マイクロコンピュータ１は、パッド８，９間がドライバ１０で短絡されているか否かに応じて入力ポートＰ１の電位を二つの異なるポートレベルＬ又はＨとして読み込むことが可能であり、ポートレベルを読み込んだときは読み込んだポートレベルに応じた機能設定を行う。
【００１６】
受光器３（受光部）は、マイクロコンピュータ１に接続され、リモコン４からの無線信号を受光することができる。リモコン４の操作者は、マイクロコンピュータ１をメンテナンスモードに移行させるときに、リモコン４を操作して、受光器３に対してメンテナンスモード移行要求信号を送信することができる。受光器３は、リモコン４からメンテナンスモード移行要求信号を受信すると、この信号をマイクロコンピュータ１に送信する。マイクロコンピュータ１は、受光器３からメンテナンスモード移行要求信号を受信すると、メンテナンスモードに移行する。
【００１７】
表示装置２は、マイクロコンピュータ１に接続され、マイクロコンピュータ１が入力ポートＰ１から入力されるポートレベルを読み込んだときは、読み込んだポートレベルに応じた表示を行う。表示装置２は、例えばＬＥＤである。
【００１８】
ブザー５は、マイクロコンピュータ１に接続され、マイクロコンピュータ１が入力ポートＰ１から入力されるポートレベルを読み込んだときは、読み込んだポートレベルに応じた音を鳴らす。表示装置２及びブザー５は、報知装置の例である。すなわち、報知装置は、マイクロコンピュータ１が入力ポートＰ１から入力されるポートレベルを読み込んだときは、読み込んだポートレベルに応じた報知をする。
【００１９】
次に、本実施の形態の動作について説明する。マイクロコンピュータ１は通常モードで動作しているとする。リモコン４がメンテナンスモード移行要求信号を送信すると、マイクロコンピュータ１は、受光器３を介してメンテナンスモード移行要求信号を受信し、メンテナンスモードに移行する。マイクロコンピュータ１は、メンテナンスモード時のみに入力ポートＰ１のポートレベルを読み込むように設定されているので、メンテナンスモードに移行した後、入力ポートＰ１の入力値を読み込む。
【００２０】
パッド８，９間が短絡されていない状態では、マイクロコンピュータ１はポートレベルとしてハイレベル（Ｈ）を読み込むが、この場合は機能設定の切り替えは行わない。パッド８，９間をドライバ１０で短絡した場合は、マイクロコンピュータ１はポートレベルとしてローレベル（Ｌ）を読み込み、この場合は機能設定の切り替え、例えばイニシャライズを行う。
【００２１】
表示装置２は、マイクロコンピュータ１が読み込んだ入力ポートＰ１のポートレベルに応じた表示を行う。つまり、表示装置２は、ポートレベルがハイレベル（Ｈ）か又はローレベル（Ｌ）かに応じて異なる表示を行う。また、ブザー５は、マイクロコンピュータ１が読み込んだ入力ポートＰ１のポートレベルに応じて鳴動する。つまり、ブザー５は、ポートレベルがハイレベル（Ｈ）か又はローレベル（Ｌ）かに応じて異なる音を鳴らす。
【００２２】
図６は、本実施の形態における短絡方法及びパッド形状について示した図である。図６（ａ）は、パッド８，９を含む構成の一部を示したものであり、表示装置２、ブザー５、受光器３等は図示を省略している。図６（ｂ）は、パッド８，９間を短絡するためのドライバ１０の当て方を示したものである。図６（ｃ）は、プリント配線基板１６上のパッド９の断面形状を示したものである。パッド８の断面形状も同様である。この場合、パッド８，９は例えば銅箔で形成され、表面は平らである。なお、銅箔上にはんだを設けることにより、パッド８，９にドライバ１０を当てたときに滑りにくくすることができ、作業性を向上させることができる。
【００２３】
本実施の形態によれば、リモコン４からの要求によるメンテナンスモード時のみ、マイクロコンピュータ１が入力ポートＰ１のポートレベルを読み込むように構成したので、誤ってパッド８，９が短絡した際の誤動作を防止することができる。
【００２４】
また、本実施の形態によれば、表示装置２及びブザー５により、読み込まれたポートレベルに応じた報知を行うようにしたので、ポートレベルを誤入力した場合でも、これに容易に気づくことができる。
【００２５】
また、本実施の形態によれば、ドライバ１０等の工具を当てる箇所をパッド８，９としたので、工具が当てやすく、作業性が向上する。
【００２６】
なお、図２は、特許文献１に記載のマイクロコンピュータのポートレベルの切り替え方法を説明するための図である。図２では、プリント配線基板（図示せず）上にパターン１０８，１０９が形成され、パターン１０８は抵抗７を介して直流電源６と接続され、パターン１０９はＧＮＤに接続されている。さらに、抵抗７とパターン１０８との間にはＬＥＤ１１が接続されている。また、プリント配線基板（図示せず）上に搭載されたマイクロコンピュータ１の入力ポートＰはＬＥＤ１１とパターン１０８との間に接続されている。このような構成のもとで、パターン１０８，１０９をドライバ１０で短絡することにより、ポートＰのポートレベルをローレベル（Ｌ）に設定することができる。また、パターン短絡時にはＬＥＤ１１が発光し、短絡されたことを表示する。
【００２７】
しかしながら、特許文献１に記載のマイクロコンピュータのポートレベルの切り替え方法では、パターン１０８，１０９に誤って工具が当たった場合にもポートレベルの切り替えが行われてしまうし、また、パターン１０８，１０９は工具を当て難い。
【００２８】
これに対し、本実施の形態では、メンテナンスモード時のみマイクロコンピュータ１が入力ポートＰ１のポートレベルを読み込むように構成し、かつ、短絡させる箇所を専用のパッド８，９とすることにより、従来の問題点を解消するものである。
【００２９】
このように、本実施の形態によれば、予期せぬポートレベルの切り替えを防止して安定的にポートレベルの切り替えを実現することでき、かつ、切り替え作業も容易になる。
【００３０】
実施の形態２．
図３は、本実施の形態に係る制御装置の概略構成を示すブロック図である。図３では、図１と同一の構成要素には同一の符号を付している。
【００３１】
本実施の形態では、マイクロコンピュータ１は、例えば二つの入力ポートＰ１，Ｐ２を有している。また、プリント配線基板（図示せず）上には、パッド８，９に加えて、一対のパッド１７，１８が形成されている。パッド１７，１８は、パッド８，９と同様に、互いに対向し所定の間隔で近接して並べて配置され、それぞれ例えば矩形である。パッド１７は抵抗７を介して直流電源６に接続されている。パッド１８は、ＧＮＤに接続されて接地されている。入力ポートＰ１は、抵抗７とパッド８との間に接続されている。入力ポートＰ２は、抵抗７とパッド１７との間に接続されている。入力ポートＰ１のポートレベルは、ドライバ１０によりパッド８，９間が短絡しているか否かに応じてローレベル（Ｌ）又はハイレベル（Ｈ）となる。同様に、入力ポートＰ２のポートレベルは、ドライバ１０によりパッド１７，１８間が短絡しているか否かに応じてローレベル（Ｌ）又はハイレベル（Ｈ）となる。
【００３２】
このように、本実施の形態は、実施の形態１を入力ポートが二つの場合に拡張したものである。本実施の形態のその他の構成は実施の形態１と同様である。
【００３３】
マイクロコンピュータ１は、メンテナンスモード時のみ、入力ポートＰ１，Ｐ２の双方のポートレベルを読み込むことができる。このような構成により、誤ってドライバ１０がパッド８，９又はパッド１７，１８に当たった場合でも、マイクロコンピュータ１は誤動作することがなく、入力ポートＰ１，Ｐ２の双方のポートレベルを検出することが可能となる。
【００３４】
なお、本実施の形態では、入力ポートの個数が例えば２個の場合について説明したが、３個以上の場合も同様である。一般に、入力ポートを複数個設けた場合は、入力ポートの個数と同数対のパッドを設け、複数個の入力ポートをそれぞれ異なる電源側のパッド（例えば、パッド８，１７）に接続する。本実施の形態のその他の動作及び効果は、実施の形態１と同様である。
【００３５】
実施の形態３．
図４は、本実施の形態に係る制御装置の概略構成を示すブロック図である。図４では、図１と同一の構成要素には同一の符号を付している。
【００３６】
本実施の形態では、マイクロコンピュータ１は、例えば二つの入力ポートＰ１，Ｐ２を有している。プリント配線基板（図示せず）上には、実施の形態１と同様に、直流電源６に抵抗７を介して接続されたパッド８とこのパッド８と対向して配置され接地されたパッド９が形成されている。本実施の形態では、二つの入力ポートＰ１，Ｐ２に対して一対のパッド８，９が設けられ、入力ポートＰ１，Ｐ２はいずれも抵抗７とパッド８との間に接続されている。
【００３７】
本実施の形態では、メンテナンスモード移行時に、マイクロコンピュータ１の入力ポートＰ１，Ｐ２のどちらの入力レベルを読み込むかをリモコン４から選択するように制御する。すなわち、リモコン４の操作者は、メンテナンスモード移行要求信号を送信しマイクロコンピュータ１をメンテナンスモードに移行させた後、マイクロコンピュータ１に入力ポートＰ１，Ｐ２のどちらの入力レベルを読み込ませるかを指示するポート選択信号を送信する。マイクロコンピュータ１は、受光器３を介してポート選択信号を受信すると、ポート選択信号で指定された入力ポートのポートレベルのみを読み込む。
【００３８】
次に、本実施の形態の動作について説明する。図５は、本実施の形態の動作を示すフローチャートである。
【００３９】
マイクロコンピュータ１は通常モードにて動作している（ステップＳ１０）。
【００４０】
リモコン４の操作者は、リモコン４からメンテナンスモード移行要求信号を送信する。受光器３はリモコン４からのメンテナンスモード移行要求信号を受信すると、このメンテナンスモード移行要求信号をマイクロコンピュータ１に送信する。マイクロコンピュータ１は、メンテナンスモード移行要求信号の受信の有無を監視しており、メンテナンスモード移行要求があったかどうかを判定する（ステップＳ１１）。
【００４１】
マイクロコンピュータ１は、メンテナンスモード移行要求があったと判定した場合（ステップＳ１１，Ｙｅｓ）は、メンテナンスモードに移行する（ステップ１２）。本モードに移行することにより、マイクロコンピュータ１は入力ポートＰ１，Ｐ２のポートレベルを読み込むことができる。本モードに移行しなければ、マイクロコンピュータ１は入力ポートＰ１，Ｐ２のポートレベルを読み込むことができない。
【００４２】
他方、マイクロコンピュータ１は、メンテナンスモード移行要求がないと判定した場合（ステップＳ１１，Ｎｏ）は、通常モードにて動作する（ステップＳ２２）。
【００４３】
次に、リモコン４の操作者は、リモコン４でマイクロコンピュータ１の入力ポートＰ１又はＰ２を選択するためのポート選択信号（Ｐ１，Ｐ２）を送信する。受光器３はリモコン４からのポート選択信号（Ｐ１，Ｐ２）を受信すると、このポート選択信号（Ｐ１，Ｐ２）をマイクロコンピュータ１に送信する。
【００４４】
マイクロコンピュータ１は、ポート選択信号（Ｐ１，Ｐ２）の有無を監視しており、ポート選択要求があったかどうかを判定している（ステップＳ１３）。この段階では、リモコン４からポート選択信号（Ｐ１，Ｐ２）が送信されているので、マイクロコンピュータ１は、ポート選択要求があると判定し（ステップＳ１３，Ｙｅｓ）、ステップＳ１５の処理に進む。
【００４５】
マイクロコンピュータ１は、ポート選択信号（Ｐ１，Ｐ２）で指定された入力ポートＰ１又はＰ２のみについて、ポート入力値（ポートレベル）がハイレベル（Ｈ）か又はローレベル（Ｌ）かを判定する（ステップＳ１５）。ポートレベルの判定は、例えば下記のような方法で行う。例えば、５０ｍｓ毎のポート入力値を５回読み込み、Ｈ又はＬの入力回数が多い方を入力値として確定する。このように判定値の平均を取ることにより、ドライバ１０によりパッド８，９を短絡させた際のチャタリングを抑えることができる。
【００４６】
ポートレベルがローレベル（Ｌ）と判定された場合（ステップＳ１５，Ｙｅｓ）は、例えば、ブザー５にて１００Ｈｚの低音を鳴らし、また、表示装置（ＬＥＤ）２で１回点滅表示を行う（ステップＳ１７）。ポートレベルがハイレベル（Ｈ）と判定された場合（ステップＳ１５，Ｎｏ）は、例えば、ブザー５にて２ｋＨｚの高音を鳴らし、また、表示装置（ＬＥＤ）２で２回点滅表示を行う（ステップＳ１８）。このように、ハイレベル（Ｈ）とローレベル（Ｌ）とで、ブザー周波数、表示回数を区別することにより、誤入力した場合に容易に気づくことができる。
【００４７】
ポート入力値は、マイクロコンピュータ１に一時記憶される（ステップＳ１９）。
【００４８】
次に、マイクロコンピュータ１は、メンテナンスモード終了要求があったかどうかを判定する（ステップＳ２０）。ここで、メンテナンスモード終了要求は、リモコン４から受光器３にメンテナンスモード終了要求信号を送信することで行う。リモコン４の操作者は、入力ポートＰ１又はＰ２の選択が終了している場合は、リモコン４から受光器３にメンテナンスモード終了要求信号を送信し、受光器３は受信したメンテナンスモード終了要求信号をマイクロコンピュータ１に送信する。マイクロコンピュータ１は、メンテナンスモード終了要求信号を受信すると、メンテナンスモード終了要求があったと判定し（ステップＳ２０，Ｙｅｓ）、入力ポートＰ１又はＰ２のポート入力値を確定し反映させ（ステップＳ２１）、通常モードに復帰する（ステップＳ２２）。
【００４９】
他方、マイクロコンピュータ１は、メンテナンスモード終了要求がないと判定した場合（ステップＳ２０，Ｎｏ）は、ステップＳ１３の処理に戻る。なお、ステップＳ１３では、ポート選択要求がないと判断された場合（ステップＳ１３，Ｎｏ）は、マイクロコンピュータ１は、メンテナンスモード終了要求があったと判断して（ステップＳ１６）、ステップＳ２１の処理に進む。
【００５０】
本実施の形態では、リモコン４からポートレベルを読み込む入力ポートＰ１又はＰ２を指定することにより、複数の入力ポートＰ１，Ｐ２のレベル設定をプリント配線基板（図示せず）上に配置された一対のパッド８，９を利用することにより可能となる。
【００５１】
本実施の形態では、入力ポートの個数を例えば２個としたが、３個以上の場合にも容易に拡張することができる。すなわち、すべての入力ポートを抵抗７とパッド８との間に接続する構成とすればよい。
【００５２】
このように、本実施の形態によれば、パッド８，９に誤ってドライバ１０が当たった場合にも誤動作することなく、リモコン４で指定することにより、複数のポートレベルの検出が可能である。本実施の形態のその他の構成、動作、及び効果は実施の形態１と同様である。
【００５３】
なお、図５に示す動作は、ポート選択処理を除けば、実施の形態１又は２の動作であることは言うまでもない。
【００５４】
実施の形態４．
図７は、本実施の形態における短絡方法及びパッド形状について示した図である。図７は、実施の形態１で説明した図６に対応する図である。
【００５５】
図７（ａ）に示すように、本実施の形態では、直流電源６側に２個のパッド１２，１４が配置され、ＧＮＤ側に２個のパッド１３，１５が配置されている。すなわち、パッド１２，１４はいずれも直流電源６に接続された抵抗７に並列に接続され、パッド１３，１５はいずれもＧＮＤに並列に接続され接地されている。パッド１２，１４は所定の間隔で配置され、パッド１３，１５も所定の間隔で配置されている。パッド１２，１３は互いに対向し、パッド１４，１５は互いに対向している。また、抵抗７とパッド１２，１４との間にマイクロコンピュータ１のポートＰ１が接続されている。なお、図７（ａ）では、表示装置２、ブザー５、受光器３等の図示は省略しており、その他の構成は図１と同様である。
【００５６】
このように、本実施の形態では、実施の形態１の制御装置又はプリント配線基板において、図１のパッド８を２個のパッド１２，１４で構成するとともに、図１のパッド９を２個のパッド１３，１５で構成するようにしたものである。
【００５７】
また、パッド１２〜１５には、それぞれはんだを実装することができる。図７（ｃ）は、プリント配線基板１６上に形成されたパッド１３，１５の断面図を示したものである。図７（ｃ）に示すように、パッド１３は、銅箔から成るベース１３ａ上にはんだ１３ｂが実装されて盛り上がっている。同様に、パッド１５は、銅箔から成るベース１５ａ上にはんだ１５ｂが実装されて盛り上がっている。パッド１２，１４についても同様である。
【００５８】
このような構成であれば、図７（ｂ）に示す矢印の方向のいずれかにドライバ１０を当てることで、直流電源６側とＧＮＤ側を短絡することができる。また、パッド１２〜１５ははんだを実装しているため、図７（ｃ）に示すように、はんだが壁の役目を果たし、ドライバ１０が滑るのを防ぐことができる。よって、図６の構成と比較すると、ドライバ１０を容易にパッド間に当てることが可能となり、作業性を向上することができる。なお、本実施の形態は実施の形態２，３にも適用することができる。
【産業上の利用可能性】
【００５９】
本発明は、マイクロコンピュータのポートレベルの切り替え方法、プリント配線基板、及び制御装置として有用である。
【符号の説明】
【００６０】
１  マイクロコンピュータ、２  表示装置、３  受光器、４  リモコン、５  ブザー、６  直流電源、７  抵抗、８，９，１２〜１５，１７，１８  パッド、１０  ドライバ、１３ａ，１５ａ  ベース、１３ｂ，１５ｂ  はんだ、１６  プリント配線基板、１０８，１０９  パターン。
【図１】
2014149616.tif 000003
【図２】
2014149616.tif 000004
【図３】
2014149616.tif 000005
【図４】
2014149616.tif 000006
【図５】
2014149616.tif 000007
【図６】
2014149616.tif 000008
【図７】
2014149616.tif 000009